(57)【特許請求の範囲】
【請求項１】
ハイブリッド自動再送要求（ＨＡＲＱ）インデックス決定を実行する方法であって、
第１のサブフレームで、ＨＡＲＱフィードバックインデックスパラメータ（ＨＦＩＰ）を含む非ユーザ固有アドバンスドマップ（Ａ−ＭＡＰ）を移動局に送信する段階と、
前記第１のサブフレームで、部分ＨＡＲＱフィードバックＡ−ＭＡＰ（ＨＦ−Ａ−ＭＡＰ）インデックスを含む割り当てＡ−ＭＡＰを前記移動局に送信する段階と、
前記移動局を対象とする前記割り当てＡ−ＭＡＰでのスケジューリングにしたがって、第２のサブフレームでアップリンクデータを前記移動局から受信する段階と、
前記ＨＦＩＰおよび前記部分ＨＡＲＱフィードバックＡ−ＭＡＰインデックスの両方を利用して完全なＨＡＲＱフィードバックインデックスを算出する段階と
を備え、
前記Ａ−ＭＡＰは、ユニキャストサービス制御情報を含む方法。
【請求項２】
前記ＨＦＩＰおよび前記部分ＨＡＲＱフィードバックＡ−ＭＡＰインデックスの両方を利用して完全なＨＡＲＱフィードバックインデックスを算出する段階はさらに、
（Ｐ（ｊ）＋ｎ）ｍｏｄＮＨＦ−Ａ−ＭＡＰを算出する段階を有し、
ｊは前記ＨＦＩＰで示される値で、Ｐ（ｊ）はｊの関数であり、ｎは前記部分ＨＦ−Ａ−ＭＡＰインデックスで示される値であり、ＮＨＦ−Ａ−ＭＡＰは設定されているＨＦ−Ａ−ＭＡＰの総数である請求項１に記載の方法。
【請求項３】
式（Ｐ（ｊ）＋ｎ）ｍｏｄＮＨＦ＿Ａ＿ＭＡＰの解を求める段階はさらに、
【数３】
0005224226.tif 000008
を計算する段階を含み、
集合｛ｍｉ｝は前記ｊに基づいて選択される請求項２に記載の方法。
【請求項４】
１つの送信パラメータをベースラインパラメータとして選択し、
前記ベースラインパラメータは、前記ＨＡＲＱフィードバックチャネルインデックスを算出するために利用される請求項３に記載の方法。
【請求項５】
いずれの送信パラメータもベースラインパラメータとして選択しない請求項３に記載の方法。
【請求項６】
式（Ｐ（ｊ）＋ｎ）ｍｏｄＮＨＦ−Ａ−ＭＡＰの解を求める段階はさらに、
Ｐ（ｊ）＝ＴＰ＞＞（ｊ＊ｓｆ）を計算する段階を含み、
ｓｆはスケーリング係数で、ＴＰは送信パラメータである請求項２に記載の方法。
【請求項７】
ハイブリッド自動再送要求（ＨＡＲＱ）インデックス決定を実行する方法であって、
第１のサブフレームで、ＨＡＲＱフィードバックインデックスパラメータ（ＨＦＩＰ）を含む非ユーザ固有アドバンスドマップ（Ａ−ＭＡＰ）を基地局から受信する段階と、
前記第１のサブフレームで、部分ＨＡＲＱフィードバックＡ−ＭＡＰ（ＨＦ−Ａ−ＭＡＰ）インデックスを含む割り当てＡ−ＭＡＰを前記基地局から受信する段階と、
前記割り当てＡ−ＭＡＰでのスケジューリングにしたがって、第２のサブフレームでアップリンクデータを前記基地局に送信する段階と
を備え、
前記Ａ−ＭＡＰは、ユニキャストサービス制御情報を含み、
前記ＨＦＩＰおよび前記部分ＨＡＲＱフィードバックＡ−ＭＡＰインデックスの両方を利用して、完全なＨＡＲＱフィードバックインデックスを算出する方法。
【請求項８】
前記ＨＦＩＰおよび前記部分ＨＡＲＱフィードバックＡ−ＭＡＰインデックスの両方を利用して完全なＨＡＲＱフィードバックインデックスを算出することはさらに、
（Ｐ（ｊ）＋ｎ）ｍｏｄＮＨＦ−Ａ−ＭＡＰを計算することを含み、
ｊは前記ＨＦＩＰで示される値で、Ｐ（ｊ）はｊの関数であり、ｎは前記部分ＨＦ−Ａ−ＭＡＰインデックスで示される値であり、ＮＨＦ＿Ａ＿ＭＡＰは設定されているＨＦ−Ａ−ＭＡＰの総数である請求項７に記載の方法。
【請求項９】
式（Ｐ（ｊ）＋ｎ）ｍｏｄＮＨＦ−Ａ−ＭＡＰの解を求めることはさらに、
【数３】
0005224226.tif 000009
を計算することを含み、
集合｛ｍｉ｝は前記ｊに基づいて選択される請求項８に記載の方法。
【請求項１０】
１つの送信パラメータをベースラインパラメータとして選択し、
前記ベースラインパラメータは、前記ＨＡＲＱフィードバックチャネルインデックスを算出するために利用される請求項９に記載の方法。
【請求項１１】
いずれの送信パラメータもベースラインパラメータとして選択しない請求項９に記載の方法。
【請求項１２】
式（Ｐ（ｊ）＋ｎ）ｍｏｄＮＨＦ−Ａ−ＭＡＰの解を求めることはさらに、
Ｐ（ｊ）＝ＴＰ＞＞（ｊ＊ｓｆ）を計算することを含み、
ｓｆはスケーリング係数で、ＴＰは送信パラメータである請求項８に記載の方法。
【請求項１３】
ハイブリッド自動再送要求（ＨＡＲＱ）フィードバックチャネルインデックスを算出するシステムであって、
ＨＡＲＱフィードバックインデックスパラメータ（ＨＦＩＰ）を有する非ユーザ固有アドバンスドマップコントローラと、
部分ＨＡＲＱアドバンスドマップ（ＨＦ−Ａ−ＭＡＰ）インデックスを有する割り当てアドバンスドマップコントローラと
を備え、
前記ＨＦＩＰおよび前記部分ＨＦ−Ａ−ＭＡＰインデックスに基づき、完全なＨＡＲＱフィードバックチャネルインデックスを得るシステム。
【請求項１４】
前記ＨＦＩＰは、２ビットの値である請求項１３に記載のシステム。
【請求項１５】
前記完全なＨＡＲＱフィードバックチャネルインデックスは、（Ｐ（ｊ）＋ｎ）ｍｏｄＮＨＦ−Ａ−ＭＡＰを用いて得られ、
ｊは前記ＨＦＩＰで示される値で、Ｐ（ｊ）はｊの関数であり、ｎは前記部分ＨＦ−Ａ−ＭＡＰインデックスで示される値であり、ＮＨＦ−Ａ−ＭＡＰは設定されているＨＦ−Ａ−ＭＡＰの総数である請求項１３に記載のシステム。
【請求項１６】
複数の送信パラメータがあり、前記ＨＦＩＰは、前記完全なＨＡＲＱフィードバックチャネルインデックスを算出するために用いる送信パラメータのサブセットを示す請求項１５に記載のシステム。
【請求項１７】
前記送信パラメータのサブセットのうちの１つの送信パラメータは、ベースラインパラメータであり、前記ＨＦＩＰは、残りの送信パラメータのうち、前記ベースラインパラメータと共に前記完全なＨＡＲＱフィードバックチャネルインデックスを算出するために用いられる送信パラメータのサブセットを示す請求項１６に記載のシステム。
【請求項１８】
１つの送信パラメータを用いて前記完全なＨＡＲＱフィードバックチャネルインデックスを算出し、前記ＨＦＩＰは、前記１つの送信パラメータのうちどの部分を用いて前記完全なＨＡＲＱフィードバックチャネルインデックスを算出するかを示す請求項１５に記載のシステム。
【請求項１９】
前記完全なＨＡＲＱフィードバックチャネルインデックスは、前記ＨＦＩＰに右シフト演算を実行することによって得られる請求項１５に記載のシステム。
【請求項２０】
前記完全なＨＡＲＱフィードバックチャネルインデックスは、スケーリング係数を用いて得られる請求項１５に記載のシステム。
【発明の詳細な説明】
【技術分野】
【０００１】
本願は、ＩＥＥＥ８０２．１６ｍに関する。具体的には、当該ＩＥＥＥ規格におけるハイブリッド自動再送要求（ＨＡＲＱ）に関する。
【背景技術】
【０００２】
ハイブリッド自動再送要求（ＨＡＲＱ）は、現在の最先端の無線通信規格では広くサポートされている。自動再送要求（ＡＲＱ）の場合、エラー検出情報は送信前にデータに追加され、受信側が当該データを復号できるようにする。ＨＡＲＱの場合、データにはさらに、順方向誤り訂正（ＦＥＣ）ビットが追加される。
【０００３】
米国電気電子学会（ＩＥＥＥ）では、８０２．１６ｅ（ブロードバンド無線アクセス）および８０２．１６ｍ（高度無線インターフェース規格）等の無線通信規格を定めている。本明細書では、ＩＥＥＥ８０２．１６ｅは「８０２．１６ｅ」または「ブロードバンド無線アクセス規格」、ＩＥＥＥ８０２．１６ｍは「８０２．１６ｍ」または「高度無線インターフェース規格」と呼ぶ。
【０００４】
ＨＡＲＱ処理では、ＨＡＲＱフィードバックチャネルが利用される。上記の２つの規格のＨＡＲＱフィードバックチャネルに関する相違点を、概略的に図１に図示している。ＨＡＲＱフィードバックチャネルは、データバーストの復号結果に応じて、肯定的確認応答（ＡＣＫ）または否定的確認応答（ＮＡＣＫ）を通達する。８０２．１６ｅのブロードバンド無線規格の場合、ＨＡＲＱフィードバックチャネルはＡＣＫＣＨ１０として知られている。８０２．１６ｍの高度無線インターフェース規格の場合、ＨＡＲＱフィードバックチャネルは、アップリンクで送信される場合にはＨＡＲＱフィードバック制御チャネル２０、ダウンリンクで送信される場合にはＨＡＲＱフィードバックＡ−ＭＡＰ（ＨＦ−Ａ−ＭＡＰ）３０として知られている。
【０００５】
現在の８０２．１６ｍ規格では、アドバンスドＭＡＰ（Ａ−ＭＡＰ）は、ユニキャストサービス制御情報を通達する。ユニキャストサービス制御情報は、ユーザ固有の制御情報およびユーザ固有でない制御情報から構成される。図２に示すように、ユーザ固有の制御情報はさらに、それぞれ割り当てＡ−ＭＡＰ３２、ＨＡＲＱフィードバックＡ−ＭＡＰ３０、および、電力制御Ａ−ＭＡＰ３６で送信される割り当て情報、ＨＡＲＱフィードバック情報、および、電力制御情報に分割される。ＨＡＲＱフィードバックＡ−ＭＡＰ３０は、８０２．１６ｍではダウンリンクのＨＡＲＱフィードバックチャネルである（図１を参照のこと）。ユーザ固有でない制御情報は、非ユーザ固有Ａ−ＭＡＰ３８で送信される。
【０００６】
１セットのＨＡＲＱフィードバックチャネルリソースが割り当てられており、どのようにＨＡＲＱフィードバックチャネルとデータバーストとを対応付けるかを定める方法、つまり、ＨＡＲＱフィードバックチャネルインデックス決定の方法が求められている。
【図面の簡単な説明】
【０００７】
上述した側面および本文献で説明するそれに付随した利点の多くは、以下に記載する詳細な説明を添付図面と共に参照することでより深く理解されることで、より容易に想到されるものであろう。添付図面では、明記していない限り、同様の参照番号は複数の図面にわたって同様の構成要素に割り当てられる。
【図１】先行技術に係る、ブロードバンド無線アクセス規格および高度無線インターフェース規格におけるＨＡＲＱフィードバックチャネルを説明するための概略図である。
【図２】先行技術に係るＨＡＲＱフィードバックチャネルインデックス決定方法で利用されるチャネルを説明するための概略図である。
【図３】一部の実施形態に係る、図２のＨＡＲＱフィードバックチャネルインデックス決定方法で利用する、非ユーザ固有Ａ−ＭＡＰに追加されるＨＡＲＱフィードバックインデックスパラメータを説明するための概略図である。
【図４】一部の実施形態に係る、選択肢Ａを実施する場合のＨＡＲＱフィードバックチャネルインデックス決定方法の処理を説明するためのフローチャートである。
【図５】一部の実施形態に係る、選択肢Ｂを実施する場合のＨＡＲＱフィードバックチャネルインデックス決定方法の処理を説明するためのフローチャートである。
【図６】一部の実施形態に係る、ダウンリンクでのＨＡＲＱフィードバックＡ−ＭＡＰに関する基地局および移動局の処理を説明するための概略図である。
【図７】一部の実施形態に係るＨＡＲＱフィードバックチャネルインデックス決定装置を説明するための概略図である。
【発明を実施するための形態】
【０００８】
本明細書で説明する実施形態では、無線通信システムにおけるＨＡＲＱフィードバックチャネルインデックス決定について、高度且つ準明示的な方法を開示する。当該ＨＡＲＱフィードバックチャネルインデックス決定方法は、アップリンクで送信されるＨＡＲＱフィードバックチャネルと共にダウンリンクで送信されるＨＡＲＱフィードバックチャネルに適用されるとしてよい。
【０００９】
ＨＡＲＱフィードバックチャネルインデックス決定方法には、明示的方式、非明示的方式、および、準明示的方式の３つの方式がある。明示的方式では、完全なＨＡＲＱフィードバックチャネルインデックスが、ダウンリンク制御信号伝達でのセットにおいて特定されている（８０２．１６ｍの割り当てＡ−ＭＡＰ３２）。非明示的方式では、ＨＡＲＱフィードバックチャネルインデックスは、一部の送信パラメータと対応付けられているが、当該インデックスはダウンリンク制御信号伝達では利用されない。対応付けられている送信パラメータには、データバーストリソースインデックス、制御チャネルインデックス等が含まれているとしてよい。
【００１０】
準明示的方式では、他の送信パラメータと組み合わせられることで完全なＨＡＲＱフィードバックチャネルインデックスを形成する、部分ＨＡＲＱフィードバックチャネルインデックスを信号伝達する。準明示的方式の利点は、明示的方式に比べて、信号伝達オーバーヘッドが少なくなり得る点にある。
【００１１】
８０２．１６ｅ規格では、ＨＡＲＱフィードバックチャネルインデックスを取得するための方式として、明示的方式および非明示的方式の両方がサポートされている。８０２．１６ｍでは、ＨＡＲＱフィードバックチャネルインデックスは、一例として、当該インデックスを明示的に信号伝達することによって決定され得る。このような明示的な信号伝達は、制御信号伝達においてオーバーヘッドが大きくなってしまう。本明細書に記載するＨＡＲＱフィードバックチャネルインデックス決定方式では、制御オーバーヘッドを最小限に抑えつつ、ＨＡＲＱフィードバックチャネルインデックスを効率的に送信する方法を提供する。
【００１２】
図３は、一部の実施形態に係るＨＡＲＱフィードバックチャネルインデックス決定方法１００の構成を説明するための図である。ＨＡＲＱフィードバックチャネルインデックス決定方法１００は、非ユーザ固有制御チャネル（８０２．１６ｍの非ユーザ固有Ａ−ＭＡＰ３８）においてフィールドを追加している。図３では、非ユーザ固有Ａ−ＭＡＰ３８（図２も参照のこと）には、ＨＡＲＱフィードバックインデックスパラメータ（ＨＦＩＰ）として知られるフィールド５０が付加されている。ＨＦＩＰフィールド５０は、ダウンリンク制御信号伝達（８０２．１６ｍの割り当てＡ−ＭＡＰ３２）で信号伝達される部分インデックスおよび選択された送信パラメータに基づきどのようにＨＡＲＱフィードバックチャネルインデックスを導出するかの選択肢を示すために用いられるフィールドである。一部の実施形態によると、ＨＦＩＰフィールド５０には複数のＮＨＦＩＰビットがあり、ＨＡＲＱフィードバックチャネルインデックスを導出するための選択肢を最多で提供している。
【００１３】
ＨＦＩＰ５０で提供される選択肢は、ＨＡＲＱフィードバックチャネルインデックス算出において送信パラメータをどのように選択および／または変換するかに重点を置いている。一部の実施形態によると、どのようにＨＦＩＰ５０を実施するかについては２つの選択肢がある。本明細書では選択肢Ａとする第１の選択肢では、複数の送信パラメータがあり、ＨＦＩＰ５０は使用すべき送信パラメータのサブセットを示す。本明細書では選択肢Ｂとする第２の選択肢では、１つの送信パラメータを用いて、ＨＦＩＰ５０はこのパラメータのうちどの部分を利用するかを示す。
【００１４】
一部の実施形態では、選択肢Ａはさらに、選択肢Ａ１およびＡ２に分けられる。選択肢Ａ１では、１つの送信パラメータをベースラインとして選択する。例えば、局識別子（ＳＴＩＤ）パラメータを選択する。選択肢Ａ１では、選択されたベースラインパラメータは、ＨＡＲＱフィードバックチャネルインデックスを算出する際に常に利用される。このため、ＨＦＩＰフィールド５０は、ＨＡＲＱフィードバックチャネルインデックスを算出する際に共に利用される他の複数のパラメータを示すために用いられる。２ビットのＨＦＩＰ５０をどのように実現するかの一例を以下の表１に示す。
【表１】
0005224226.tif 000002
【００１５】
本例では、ＨＦＩＰ５０で信号伝達される値をｊ、対応するパラメータ集合をＭ（ｊ）＝｛ｍｉ｝と仮定する。本例では、ＳＴＩＤパラメータを常に利用して、最上位ビット（ＭＳＢ）はリソースインデックスパラメータを利用するか否かを示し、最下位ビット（ＬＳＢ）はＭＣＳパラメータを利用するか否かを示している。例えば、ＨＦＩＰ５０が２（二進法で１０）である場合、ＭＳＢが１でＬＳＢが０であり、使用されているＳＴＩＤパラメータに加えて、リソースインデックスパラメータも利用して（しかし、ＭＣＳパラメータは利用せずに）ＨＡＲＱフィードバックチャネルインデックスを算出することを示している。
【００１６】
これに代えて、選択肢Ａ２では、どのパラメータもベースラインにはならない。ＨＦＩＰ５０はこのため、ＨＡＲＱフィードバックチャネルインデックスを算出するために用いられる全てのパラメータを示す。ＨＦＩＰ５０の値が０の場合には、どのパラメータも利用しない旨を示すとしてもよいし、または、値が０の場合には複数のパラメータの特定の組み合わせを示すとしてもよい。選択肢Ａ２を用いてＨＡＲＱフィードバックチャネルインデックスを算出する一例を、以下の表２で説明する。
【表２】
0005224226.tif 000003
【００１７】
本例では、ＭＳＢはリソースインデックスパラメータを利用するか否かを示し、ＬＳＢはＳＴＩＤパラメータを利用するか否かを示す。例えば、ＨＦＩＰ５０の値が２（二進法で１０）である場合、ＭＳＢが１でＬＳＢが０であるので、リソースインデックスパラメータをＨＡＲＱフィードバックチャネルインデックスを算出する際に利用するが、ＳＴＩＤパラメータは利用しない。尚、ＨＦＩＰ５０の値が０の場合には、ＳＴＩＤパラメータおよびＭＣＳパラメータのどちらも利用してＨＡＲＱフィードバックチャネルインデックスを算出することを示す。
【００１８】
選択肢Ｂは、一部の実施形態によると、１つのパラメータを利用してＨＡＲＱフィードバックチャネルインデックスを算出する場合に採用されるとしてよい。この場合、ＨＡＲＱフィードバックチャネルインデックスパラメータは、１つの送信パラメータのうちどの部分を用いてＨＡＲＱフィードバックチャネルインデックスを算出するかを示す。選択肢Ｂでは、ＳＴＩＤパラメータを利用すると仮定する。一部の実施形態では、右シフト演算子（＞＞）を用いて、ＳＴＩＤパラメータのうちＨＡＲＱフィードバックチャネルインデックスを算出する際に利用される部分を選択する。右シフト演算を以下の式で表すとする。
【数１】
0005224226.tif 000004
この場合、
【数２】
0005224226.tif 000005
は、ｘの床関数を表し、つまり、ｘ以下の最大の整数である。例えば、１５＞＞１＝７、１５＞＞２＝３である。選択肢Ｂの場合、ＨＦＩＰ５０の値がｊであると仮定すると、ＳＴＩＤ＞＞（ｊ＊ｓｆ）を用いてＳＴＩＤパラメータの一部分を選択することができる。ｓｆは、スケーリング係数であり、システムで設定するとしてもよいし、規格で特定するとしてもよい。ｓｆの値の候補としては、１、２等が挙げられるとしてよい。
【００１９】
上記の選択肢Ａ１について、図４は、一部の実施形態に係るＨＡＲＱフィードバックチャネルインデックスを算出するための、モジュロ演算を利用した単純なメカニズムを示す。（同様に、図５は、選択肢Ｂを用いる場合の算出方法を説明するフローチャートである。）例えば、ダウンリンクで送信されるＨＡＲＱフィードバックＡ−ＭＡＰ（ＨＦ−Ａ−ＭＡＰ）３０について（図１参照のこと）、以下の内容を仮定する。
割り当てＡ−ＭＡＰ３２で信号伝達されるＨＦ−Ａ−ＭＡＰインデックスは、ｎ（ブロック１０２）
設定されるＨＦ−Ａ−ＭＡＰの総数はＮＨＦ−Ａ−ＭＡＰ（ブロック１０４）
ＨＦＩＰ５０の値はｊ（ブロック１０６）そして、対応付けられている完全なＨＦ−Ａ−ＭＡＰインデックスは、図４に示すように（ブロック１０８）、（Ｐ（ｊ）＋ｎ）ｍｏｄＮＨＦ＿Ａ＿ＭＡＰと表される。式中、Ｐ（ｊ）は、ｊの関数であり、上記の選択肢に応じて利用される。
選択肢Ａ：Ｐ（ｊ）は以下の式で表される。
【数３】
0005224226.tif 000006
式中、集合｛ｍｉ｝は値ｊに基づいて選択される（ブロック１１２）。
選択肢Ｂ：Ｐ（ｊ）＝ＳＴＩＤ＞＞（ｊ＊ｓｆ）（図５を参照のこと）
【００２０】
例えば、選択肢Ａ１を用いると仮定する。つまり、完全なＨＦ−Ａ−ＭＡＰインデックスは以下の式で算出されると仮定する。
【数４】
0005224226.tif 000007
ＮＨＦ−Ａ−ＭＡＰ＝１６、ｊ＝２、ｎ＝１、リソースインデックスパラメータ＝１５、ＳＴＩＤパラメータ＝３３４と仮定する。ｊ＝２であるので、表１に従って、ＳＴＩＤパラメータおよびリソースインデックスパラメータを用いて、完全なＨＦ−Ａ−ＭＡＰインデックスを算出する。このため、上記の加算式を用いると、完全なＨＦ−Ａ−ＭＡＰインデックスは、（１５＋３３４＋１）ｍｏｄ１６＝１４となる。
【００２１】
一部の実施形態に係る、ＨＡＲＱフィードバックチャネルインデックス決定方法１００にしたがってＨＦ−Ａ−ＭＡＰインデックスを算出するための基地局７０および移動局８０の処理を、図６で概略的に説明する。サブフレームａと表す第１のサブフレームにおいて、基地局７０が非ユーザ固有Ａ−ＭＡＰ３８および割り当てＡ−ＭＡＰ３２を移動局８０に送信する。非ユーザ固有Ａ−ＭＡＰ３８はＨＦＩＰフィールド５０を含み、割り当てＡ−ＭＡＰ３２は部分ＨＦ−Ａ−ＭＡＰインデックス４０を含む。移動局８０は、自身を対象とした割り当てＡ−ＭＡＰ内のスケジューリングに従い、サブフレームｂと示す次のサブフレームでアップリンクデータを送信する。ＨＦＩＰフィールド５０および部分ＨＦ−Ａ−ＭＡＰインデックス４０にしたがって、基地局７０および移動局８０の両方が、本明細書に記載する方法を用いて、完全なＨＦ−Ａ−ＭＡＰインデックス１００を算出するとしてよい。このため、基地局７０は、算出したインデックスにしたがって対応付けられたＨＦ−Ａ−ＭＡＰを送信するとしてよく、移動局８０はその後、算出したインデックスにしたがってこのＨＦ−Ａ−ＭＡＰ１００を受信する。
【００２２】
ＨＡＲＱフィードバックチャネルインデックス決定方法１００はこのため、ＨＡＲＱフィードバックチャネルのインデックスが明示的に送信されるメカニズムを提供する。非ユーザ固有制御チャネル（非ユーザ固有Ａ−ＭＡＰ３８）に１つのフィールドを追加することによって、ダウンリンク制御信号伝達で信号伝達される部分インデックス（割り当てＡ−ＭＡＰ３２の部分ＨＦ−Ａ−ＭＡＰインデックス４０）および選択された送信パラメータに基づき、ＨＡＲＱフィードバックチャネルインデックスをどのように導出するかの選択が通達される。現在の方法では、本明細書で提案している一部の実施形態のように、ＨＡＲＱフィードバックチャネルインデックスを導出する方法について、複数の異なるメカニズムが利用できない。
【００２３】
本明細書に記載するＨＡＲＱフィードバックチャネルインデックス決定方法は、無線通信システムにおいてＨＡＲＱフィードバックチャネルインデックス決定を行なう装置および方法を提供する。一部の実施形態によると、当該装置は、基地局スケジューラと、基地局ＨＦ−Ａ−ＭＡＰ送信機と、移動局ＨＦ−Ａ−ＭＡＰ受信機と、移動局ＨＡＲＱフィードバックチャネル送信機等を備える。８０２．１６ｍでは、ＨＡＲＱフィードバックチャネルインデックスを決定しなければならない。方法の１つとして、インデックスを明示的に信号伝達する方法が挙げられる。しかし、この方法では制御信号伝達のオーバーヘッドが大きくなってしまう。本明細書に記載するＨＡＲＱフィードバックチャネルインデックス決定方法は、制御オーバーヘッドを最小限に抑えつつ、ＨＡＲＱフィードバックチャネルインデックスを効率的に送信する方法を提供する。
【００２４】
図７は、一部の実施形態に係る、ＨＡＲＱフィードバックチャネルインデックス決定を行なう基地局側の装置２００を示す概略ブロック図である。ＨＦ−Ａ−ＭＡＰコントローラ６５、非ユーザ固有Ａ−ＭＡＰコントローラ７０および割り当てＡ−ＭＡＰコントローラ７５を用いて、基地局スケジューラ６０は、ＨＦＩＰ５０、部分ＨＦ−Ａ−ＭＡＰインデックス４０および関連部分の値を算出および設定する。ＨＦ−Ａ−ＭＡＰインデックスを構成する対応ビットは、マルチプレクサ８０で多重化されて、ダウンリンク送信で移動局に送信される。
【００２５】
限られた数の実施形態に基づき本願を説明してきたが、当業者であれば、数多くの変形例および変更例に想到するであろう。特許請求の範囲はこのような変形例および変更例も全て、本発明の真の意図および範囲に含むものとする。
【図１】
0005224226.tif 000010
【図２】
0005224226.tif 000011
【図３】
0005224226.tif 000012
【図４】
0005224226.tif 000013
【図５】
0005224226.tif 000014
【図６】
0005224226.tif 000015
【図７】
0005224226.tif 000016